(57)【特許請求の範囲】
【請求項１】
家具本体（４０）に可動に配置された折り畳みドア（３）用のエジェクト装置（１）であって、
前記折り畳みドア（３）は、少なくとも１つの第１の扉（３ａ）と１つの第２の扉（３ｂ）とを含んでおり、
前記扉（３ａ，３ｂ）は、互いに枢着結合されており、当該エジェクト装置（１）は、前記少なくとも２つの扉（３ａ，３ｂ）が共通の閉鎖平面（Ｅ）に配置されている閉鎖位置から、前記少なくとも２つの扉（３ａ，３ｂ）が互いの間に１８０°とは異なる角度を成している開放位置に、前記折り畳みドア（３）を開放屈曲するための少なくとも１つのエジェクトエレメント（５）を有しており、
当該エジェクト装置（１）は、前記第１の扉（３ａ）に当該エジェクト装置（１）を取り付けるための少なくとも１つの第１の取付け具（１ａ）を有していて、かつ前記少なくとも１つのエジェクトエレメント（５）は、前記少なくとも１つの第１の取付け具（１ａ）に支持されており、
前記第２の扉（３ｂ）を前記閉鎖位置から前記開放位置に移動させるための前記少なくとも１つのエジェクトエレメント（５）は、少なくとも１つの折り畳み機構（１０）によって形成されており、前記折り畳み機構（１０）は、少なくとも２つの折り畳みレバー（１０ａ，１０ｂ）を有していて、かつ枢着結合部を介して、前記第１の扉（３ａ）と前記第２の扉（３ｂ）の間において折畳み可能に支持されている、
エジェクト装置（１）において、
前記枢着結合部は、少なくとも１つの中間レバー（１１）によって形成されていて、かつ前記中間レバー（１１）は、第１の折り畳みレバー（１０ａ）および／または第２の折り畳みレバー（１０ｂ）に枢着結合されている
ことを特徴とする、エジェクト装置（１）。
【請求項２】
前記折り畳み機構（１０）は、少なくとも１つの第１の折り畳みレバー（１０ａ）と１つの第２の折り畳みレバー（１０ｂ）とから形成されており、前記第１の折り畳みレバー（１０ａ）と前記第２の折り畳みレバー（１０ｂ）とは、前記枢着結合部を介して互いに結合されている、
請求項１記載のエジェクト装置。
【請求項３】
前記第１の折り畳みレバー（１０ａ）と前記第２の折り畳みレバー（１０ｂ）とは、中間領域において、前記枢着結合部を介して互いに結合されている、
請求項２記載のエジェクト装置。
【請求項４】
前記第１の折り畳みレバー（１０ａ）は第１の端部（Ｅ１）において、第１の取付け具（１ａ）におけるガイド装置（１２）に沿って走行可能に支持されており、前記第１の折り畳みレバー（１０ａ）の第２の端部（Ｅ２）が、第２の取付け具（１ｂ）に枢着結合されている、
請求項１から３までのいずれか１項記載のエジェクト装置。
【請求項５】
前記第２の折り畳みレバー（１０ｂ）は、接触部分（１５）によって、前記第１の取付け具（１ａ）に配置された制御カム（１３）と接触させることができるようになっている、
請求項１から４までのいずれか１項記載のエジェクト装置。
【請求項６】
前記接触部分（１５）と前記制御カム（１３）との間における接触によって、前記第２の折り畳みレバー（１０ｂ）の旋回を生ぜしめることができ、前記第２の折り畳みレバー（１０ｂ）の旋回によって、前記第１の折り畳みレバー（１０ａ）は、前記両折り畳みレバー（１０ａ，１０ｂ）の間における枢着結合に基づいて連行可能である、
請求項５記載のエジェクト装置。
【請求項７】
前記折り畳み機構（１０）に配置された蓄力器（１４）が、前記折り畳みドア（３）が前記閉鎖位置から前記開放位置にもたらされるや否や、前記折り畳み機構（１０）の動作を促進する、
請求項５または６記載のエジェクト装置。
【請求項８】
前記蓄力器（１４）は、前記第１の折り畳みレバー（１０ａ）と前記第２の折り畳みレバー（１０ｂ）と間において、かつ／または前記第１の折り畳みレバー（１０ａ）および／または前記第２の折り畳みレバー（１０ｂ）と前記中間レバー（１１）との間において、作用するように前記取付け具に配置されている、
請求項７記載のエジェクト装置。
【請求項９】
前記蓄力器（１４）は、ばねによって形成されている、
請求項７または８記載のエジェクト装置。
【請求項１０】
前記ばねは、圧縮ばねである、請求項９記載のエジェクト装置。
【請求項１１】
前記蓄力器（１４）の作用によって、前記第２の折り畳みレバー（１０ｂ）の前記接触部分（１５）は、前記制御カム（１３）に押圧可能であり、前記接触部分（１５）は、前記制御カム（１３）に沿って走行可能である、
請求項７から１０までのいずれか１項記載のエジェクト装置。
【請求項１２】
前記蓄力器は、前記第２の折り畳みレバー（１０ｂ）の端部分（１６）に支持されており、かつ前記第２の折り畳みレバー（１０ｂ）に可動に支持された前記接触部分（１５）を、前記端部分（１６）とは逆方向に押圧している、
請求項７から１１までのいずれか１項記載のエジェクト装置。
【請求項１３】
前記接触部分（１５）はシフト可能である、請求項１２記載のエジェクト装置。
【請求項１４】
前記制御カム（１３）は、開放部分（ＯＡ）と緊張部分（ＳＡ）とを有しており、前記接触部分（１５）は、前記開放部分（ＯＡ）および前記緊張部分（ＳＡ）に沿って走行可能である、
請求項７から１３までのいずれか１項記載のエジェクト装置。
【請求項１５】
前記接触部分（１５）は、前記第２の折り畳みレバー（１０ｂ）に回転可能に支持された転動体によって形成されている、請求項１４記載のエジェクト装置。
【請求項１６】
前記蓄力器（１４）をロックするためのロック装置（１６）が設けられており、前記蓄力器（１４）は、前記制御カム（１３）と前記接触部分（１５）との共働によって緊張可能であり、かつ前記蓄力器は、緊張させられた状態において前記ロック装置（１６）によってロックされ、これによって前記蓄力器（１４）の弛緩が阻止可能である、
請求項７から１５までのいずれか１項記載のエジェクト装置。
【請求項１７】
リリース装置（１７）が設けられていて、該リリース装置（１７）はリリース位置において前記ロック装置（１６）をロック解除し、これによって前記蓄力器（１４）は緊張された状態から弛緩された状態に変化可能である、
請求項１６記載のエジェクト装置。
【請求項１８】
前記リリース装置（１７）は、前記リリース装置（１７）の押圧時に、前記扉（３ａ，３ｂ）のほぼ同一平面位置から前記リリース位置に可動である、
請求項１７記載のエジェクト装置。
【請求項１９】
前記リリース装置（１７）は、前記家具本体（４０）への前記リリース装置（１７）の押圧時に、前記リリース位置に可動である、
請求項１８記載のエジェクト装置。
【請求項２０】
前記少なくとも１つのロック装置（１６）は、当該エジェクト装置（１）が取り付けられている場合、前記折り畳みドア（３）への押圧作用によって、ロック解除可能である、
請求項１６から１９までのいずれか１項記載のエジェクト装置。
【請求項２１】
前記少なくとも１つのロック装置（１６）は、当該エジェクト装置（１）が取り付けられている場合、前記扉（３ａ，３ｂ）が互い枢着結合されている領域における、前記折り畳みドア（３）への押圧作用によって、ロック解除可能である、
請求項２０記載のエジェクト装置。
【請求項２２】
家具（１００）であって、
−  家具本体（４０）と、
−  互いに枢着結合されている少なくとも２つの扉（３ａ，３ｂ）を含む少なくとも１つの折り畳みドア（３）と、が設けられており、前記折り畳みドア（３）は、前記少なくとも２つの扉（３ａ，３ｂ）が共通の閉鎖平面に配置されている少なくとも１つの閉鎖位置と、前記少なくとも２つの扉（３ａ，３ｂ）が互いの間に１８０°とは異なる角度を成している開放位置とを取ることができ、かつ
−  請求項１から２１までのいずれか１項記載の少なくとも１つのエジェクト装置（１）が設けられている、
家具（１００）。
【請求項２３】
前記少なくとも１つのエジェクト装置（１）は、前記両扉（３ａ，３ｂ）のうちの１つの扉の、前記家具本体（４０）に向けられた側に配置されている、
請求項２２記載の家具。
【請求項２４】
前記家具本体（４０）は、前記少なくとも１つの折り畳みドア（３）を折り畳まれた位置において収容するための、中空室によって形成された引込み空間（３３）を有している、
請求項２２または２３記載の家具。
【発明の詳細な説明】
【技術分野】
【０００１】
本発明は、請求項１の上位概念部に記載の特徴を備えたエジェクト装置に関する。
【０００２】
さらに、請求項１７の上位概念部に記載の特徴を備えた家具を提供することが望ましい。
【０００３】
このようなエジェクト装置、または拡開補助装置とも呼ばれるこの装置は、既に公知であり、かつ例えばオーストリア国特許出願５００４９／２０１７号明細書、特開２０１４０２９１０３号公報、特開２０１２００１９１６号公報、および国際公開第２０１７０００００６号に開示されている。これらのエジェクト装置は、折り畳みスライドドアとして形成されていてもよい折り畳みドアを、その閉鎖位置から開放位置に移動させるために、拡開補助装置として必要になる。このとき折り畳みドアまたは折り畳みスライドドアの使用者は、閉鎖位置から開放位置への折り畳みドアまたは折り畳みスライドドアの全移動を自身で実施する必要が無い。例えば閉鎖位置に位置している折り畳みドアまたは折り畳みスライドドアを、その後ろに位置している家具本体の方向に過剰押圧することによって、エジェクト装置は活性化され、かつ閉鎖位置から開放位置の方向への折り畳みドアまたは折り畳みスライドドアのエジェクトが惹起される。このことからエジェクト装置は、扉の間に配置されている拡開補助装置と見なされる。エジェクト装置は、扉の後ろの見えない領域に配置されており、かつ扉は閉鎖位置から開放位置に移動しなくてはならないので、エジェクト装置のためには小さな空間しか利用することができない。互いに相対的に可動の扉は、同一平面位置（閉鎖位置）からほぼ平行な位置（開放位置）に走行可能であり、かつこの平行な位置においては、互いに可動に配置された扉の間に単になお小さな空間しか利用することができないので、従来技術では、エジェクト装置が開放位置と閉鎖位置との間における扉の移動を補償する必要がある状態に成るや否や、エジェクト装置の可動のコンポーネントを収容できるようにするために、ポケットを扉内に加工成形することが必要である。拡開補助装置のために必要な、扉を互いに移動させる旋回レバーは、閉鎖位置では扉の間に十分な空間を見いだしている。しかしながら扉が平行位置の方向に走行するか、またはほぼ平行位置に位置するや否や、これらの旋回レバーは、扉の間における制限された空間において衝突なしに収まらねばならない。もし衝突が生じる場合には、平行位置は不可能である。これによってまた、開放位置に案内された扉のコンパクトな配置形態も保証されず、ひいては扉を、例えば引込み空間内において格納することができない。旋回レバーを格納するために扉において必要な凹部は、例えばフライス加工または切出しのような製造方法によって、そのために必要な箇所において形成されねばならない。このことは、追加的な作業工程を含み、かつ高められた作業手間と比較的高い製造コストにおいて反映される。さらに扉は、フライス削りの箇所においてその材料厚さが弱化されており、このことは、比較的長い時間にわたって、折り畳みドアのこの箇所において損傷を惹起するおそれがある。さらに扉の材料厚さを、ポケットをそもそも実現できるようにするのに十分なように高める必要があり、つまりことによって薄壁の折り畳みドアは、使用することができない。
【０００４】
本発明の課題は、上に記載された欠点を回避すること、および従来技術に対して改良されたエジェクト装置を提供することである。
【０００５】
さらに、このようなエジェクト装置を備えた、従来技術に対して改良された家具が提供される。
【０００６】
このことは、請求項１の特徴部に記載の特徴による本発明に係るエジェクト装置および請求項１７の特徴を備えた改良された家具において達成される。
【０００７】
第２の扉を閉鎖位置から開放位置に移動させるための少なくとも１つのエジェクトエレメントが、少なくとも１つの折り畳み機構（以下便宜上「シヤー機構」という。）によって形成されており、このときシヤー機構が、第１の扉と第２の扉との間において折畳み可能に支持されていると、エジェクト装置の内方旋回するレバーまたは別の可動の構成部分に対して、閉鎖位置への走行時に必要になる空間を提供できるようにするための、扉における、例えばポケットまたは切欠きのような凹部は、不要になる。シヤー機構は、移動をそれ自体で補償することができ、かつ扉それ自体の間において折り畳まれる。これによって、扉の平行位置（開放位置）において互いに相対的に可動の扉の間においてコンパクトにスペースを見いだすエジェクト装置が得られる。個々のレバーの構造は、扉の寸法とは無関係である。したがって、扉における窪みはもはや必要ないので、例えば扉において比較的薄い材料を使用することも可能である。
【０００８】
シヤー機構が、少なくとも１つの第１の折り畳みレバーと１つの第２の折り畳みレバー（以下便宜上「第１のシヤーレバー」及び「第２のシヤーレバー」という。）とから形成されており、このとき第１のシヤーレバーと第２のシヤーレバーとが、好ましくは中間領域において、枢着結合部を介して互いに結合されていると、折り畳みドアの開放時および閉鎖時に力を吸収することができる２つのシヤーレバーを使用することができる。さらに、例えば１つのシヤーレバーが駆動され得ることが達成され、このことは、第２のシヤーレバーの移動を自動的に惹起することができる。このとき、折り畳みドアの拡開を促進できるようにするために、コンパクトな駆動システムが形成される。さらに発生する力は、複数のシヤーレバーに比較的良好に分配され、これによって、システムの比較的安定した構造形式が得られる。
【０００９】
枢着結合部が、少なくとも１つの中間レバーによって形成されていると、シヤー機構における仮想の回転中心が形成される。中間レバーによって、単純なヒンジにおけるよりもさらにコンパクトな構造形式が、より良好な力伝達において得られる。回転中心が仮想であることによって、回転中心は折り畳みドアの開放時および閉鎖時に移動することができる。このとき中間レバーが、第１のシヤーレバーおよび／または第２のシヤーレバーに枢着結合されていることが提案されている。第１のシヤーレバーおよび／または第２のシヤーレバーとの中間レバーの枢着結合によって、力は扉の開閉時に、枢着結合部を介して伝達される。さらに扉は、互いに位置決めされかつ安定的に支持されている。
【００１０】
第１のシヤーレバーが第１の端部において、第１の取付け具におけるガイド装置に沿って走行可能に支持されており、かつ第１のシヤーレバーの第２の端部が、第２の取付け具に枢着結合されていると、第１のシヤーレバーは、折り畳みドアの開閉時にガイド装置に沿って走行することができ、このことはコンパクトな構造形式において反映される。ガイド装置によって、開放位置と閉鎖位置との間における走行時に折畳みを実現できるようにするのにシヤー機構が必要とする、自由度の一部が得られる。
【００１１】
第２のシヤーレバーが、接触部分によって、第１の取付け具に配置された制御カムと接触させることができると、シヤー機構が相応の位置に位置するや否や、接触部分は、制御カムに沿って走行することができる。接触部分と制御カムとの間における接触によって、第２のシヤーレバーを旋回させることができ、このとき第２のシヤーレバーの旋回によって第１のシヤーレバーは、両シヤーレバーの間における枢着結合部に基づいて連行可能である。これによって制御カムは、シヤー機構を移動させるのみならず、さらに、シヤー機構を折り畳むためおよび拡開するために必要な自由度を提供する。制御カムを介して、扉を互いに所望の位置において位置決めすることが可能である。これによって制御カムは、シヤー機構の移動路および扉相互の移動路をも規定する。
【００１２】
折り畳みドアが閉鎖位置から開放位置にもたらされる否や、シヤー機構に配置された蓄力器がシヤー機構の移動を促進する構成が、好適であることが判明している。このように構成されていると、閉鎖位置から扉を移動させるための力を、もはや使用者によってもたらす必要がなくなる。使用者は確かに、ドアを、例えばちょっと押すことによって、または所定の位置へと押圧することによって、移動を導入するが、しかしながら次いで扉の開放は、ある程度の値に至るまで自動的に行われる。
【００１３】
このとき、折り畳みドアが閉鎖位置から完全に開放位置に走行するか、またはしかしながらまた単に、折り畳みドアを接続部において完全に使用者によって開放するために、ある特定の領域に至るまで走行することが提案されていてよい。このように構成されていると、折り畳みドアは、例えば単に、閉鎖位置と開放位置との間における半分の距離だけエジェクト装置によって移動させられるだけでよく、かつ開放位置に至るまでの残りの距離は、使用者の手によって実施される。手による操作によって、蓄力器を緊張（チャージ）させることができ、これによって蓄力器を例えば新たな開放過程時に弛緩（ディスチャージ）させることができる。
【００１４】
蓄力器が、第１のシヤーレバーと第２のシヤーレバーと間において、かつ／または第１のシヤーレバーおよび／または第２のシヤーレバーと中間レバーとの間において、作用するように取付け具に配置されていると、シヤー機構への直接的な力導入が行われる。さらに蓄力器はコンパクトに構成されており、このことは、エジェクト装置の、スペースを節減する構造において反映される。さらに力導入は直接行われ、かつ別のレバーまたはその他のものを介して間接的には行われない。そして、例えば摩耗するおそれ、または損傷するおそれがある別の部材が回避される。蓄力器は、ばね、好ましくは圧縮ばねによって、形成されていることが提案されていてよい。
【００１５】
蓄力器の作用によって、第２のシヤーレバーの接触部分が、制御カムに押圧可能であり、このとき接触部分が、制御カムに沿って走行可能であると、第２のシヤーレバーは、蓄力器の力導入に基づいて制御カムに向かって移動させられる。この移動と第１のシヤーレバーへの接触とによって、シヤー機構は、制御カムおよび第１のシヤーレバーへの蓄力器のこの力導入を移動に変換するように強いられる。逆に、制御カムへのシヤー機構の移動によって、蓄力器は、エジェクト装置のある特定の作動位置においてチャージされる。これによって蓄力器のディスチャージおよびチャージは、制御カム、および第２のシヤーレバーにおける接触部分の接触によって行われる。
【００１６】
蓄力器が、第２のシヤーレバーの端部分に支持されており、かつ第２のシヤーレバーに可動に支持された、好ましくはシフト可能な接触部分を、端部分とは逆方向に押圧していると、第２のシヤーレバーはその長さが可変であり、このことは、シヤー機構の移動の直接的な変換への第２のシヤーレバーの長さ変化時に、かつ蓄力器のディスチャージおよびチャージにおいて生ぜしめられる。第２のシヤーレバーの長さ、および／または蓄力器の荷重消滅に基づく第２のシヤーレバーに当接させられた蓄力器の長さが、変化すると、シヤー機構は作動させられ、かつ閉鎖位置からの扉の促進された移動が生ぜしめられる。
【００１７】
制御カムが、開放部分と緊張部分とを有しており、このとき接触部分が、好ましくは第２のシヤーレバーに回転可能に支持された回転体によって形成されていて、開放部分および緊張部分に沿って走行可能であると、制御カムの開放部分に沿って走行する接触部分を介して、シヤー機構のエジェクト移動が生ぜしめられ、このとき折り畳みドアは開放される。折り畳みドアが例えば使用者によって手でさらに移動させられると、制御カムは緊張部分へと走行し、かつ接触部分を介して蓄力器をさらなる開放過程のためにチャージする。
【００１８】
このとき好適であることが判明している構成では、蓄力器をロックするためのロック装置が設けられており、このとき蓄力器は、制御カムと接触部分との共働によって緊張可能であり、かつ蓄力器は、緊張させられた状態においてロック装置によってロックされ、これによって蓄力器のディスチャージが阻止可能である。このように構成されていると、接触部分と制御カムとの間の相対位置の関係において、蓄力器のディスチャージおよびチャージを行うことができる。チャージされた状態において蓄力器はロックされることができ、このことは、蓄力器の自動的なディスチャージを阻止する。蓄力器は、それが使用者によって望まれる場合にリリースされ、かつディスチャージされることができる。蓄力器のうっかりとしたディスチャージは回避されている。
【００１９】
リリース装置が設けられていて、該リリース装置がリリース位置においてロック装置をロック解除し、これによって蓄力器がチャージされた状態からディスチャージされた状態に変化可能であると、このリリース装置を介して、折り畳みドアの開放が強いられる。このリリース装置は、例えば結合エレメントであってよく、この結合エレメントは、使用者が例えば折り畳みドアを押圧するや否や、エジェクト装置を少なくとも一時的に、家具または家具本体の他の構成部分と結合させる。しかしながらまたリリース装置は、使用者が直接操作することができる押圧キーまたはこれに類したものであってもよい。このように構成されていると、リリース装置を隠して家具に取り付けることができる。しかしながらまたリリース装置は、はっきりと見えるように家具に配置されていてもよい。
【００２０】
リリース装置が、リリース装置の押圧時に、扉のほぼ同一平面位置からリリース位置に可動であると、リリース装置を隠された位置において家具に配置することができる。扉への押圧、および扉の同一平面位置の過剰押圧によって、このリリース装置は活性化され、かつ折り畳みドアの開放が強いられる。このことはさらに、リリース装置が家具本体へのリリース装置の押圧時にリリース位置に可動であることによって、達成される。
【００２１】
さらにリリース装置の隠された位置は、少なくとも１つのロック装置が、エジェクト装置が取り付けられている場合、好ましくは、扉が互いに枢着結合されている領域における、折り畳みドアへの押圧作用によって、ロック解除可能であることによって、達成される。
【００２２】
家具であって、家具本体と、互いに枢着結合されている少なくとも２つの扉を含む少なくとも１つの折り畳みドアと、が設けられており、このとき折り畳みドアまたは折り畳みスライドドアが、少なくとも２つの扉が共通の閉鎖平面に配置されている少なくとも１つの閉鎖位置と、少なくとも２つの扉が互いの間に１８０°とは異なる角度を成している開放位置とを取ることができ、かつ少なくとも１つのエジェクト装置が設けられている、家具が、好適であることが示されている。
【００２３】
好ましくは、少なくとも１つのエジェクト装置は、両扉のうちの１つの扉の、家具本体に向けられた側に配置されている。このように構成されていると、エジェクト装置の隠された構造形式が得られる。エジェクト装置は、家具の外側から見えないように配置されている。
【００２４】
さらに好適であることが判明している構成では、家具本体は、少なくとも１つの折り畳みドアを折り畳まれた引込み位置において収容するための、中空室によって形成された引込み空間を有している。このように構成されていると、開放位置にもたらされた折り畳みドアは、家具本体の側部において埋めることができ、かつ室内に突出しなくなる。これによって、折り畳みドアが常に仕舞われて邪魔にならない、スペースを節減する家具が得られる。
【００２５】
次に、本発明のさらなる詳細および利点について、図面を用いて、図面に示された実施形態を参照しながら詳説する。
【図面の簡単な説明】
【００２６】
【図１ａ】引込み空間および折り畳みドアを備えた家具を示す図である。
【図１ｂ】折り畳みドアにおけるエジェクト装置を示す図である。
【図２】エジェクト装置の分解図である。
【図３ａ】折り畳みドアの閉鎖位置を示す図である。
【図３ｂ】折り畳みドアの閉鎖位置を示す図である。
【図４】少なくとも１つの蓄力器の弛緩時、および開放位置の方向における走行時におけるエジェクト装置を、１つの見方および位置で示す図である。
【図５】少なくとも１つの蓄力器の弛緩時、および開放位置の方向における走行時におけるエジェクト装置を、１つの見方および位置で示す図である。
【図６】少なくとも１つの蓄力器の弛緩時、および開放位置の方向における走行時におけるエジェクト装置を、１つの見方および位置で示す図である。
【図７】少なくとも１つの蓄力器の弛緩時、および開放位置の方向における走行時におけるエジェクト装置を、１つの見方および位置で示す図である。
【図８】少なくとも１つの蓄力器の緊張時、および開放位置の方向における走行時におけるエジェクト装置を、１つの見方および位置で示す図である。
【図９】少なくとも１つの蓄力器の緊張時、および開放位置の方向における走行時におけるエジェクト装置を、１つの見方および位置で示す図である。
【図１０】少なくとも１つの蓄力器の緊張時、および開放位置の方向における走行時におけるエジェクト装置を、１つの見方および位置で示す図である。
【図１１】少なくとも１つの蓄力器の緊張時、および開放位置の方向における走行時におけるエジェクト装置を、１つの見方および位置で示す図である。
【図１２】閉鎖位置の方向における戻り移動時におけるエジェクト装置を、１つの見方および位置で示す図である。
【図１３】閉鎖位置の方向における戻り移動時におけるエジェクト装置を、１つの見方および位置で示す図である。
【図１４】閉鎖位置の方向における戻り移動時におけるエジェクト装置を、１つの見方および位置で示す図である。
【図１５】閉鎖位置の方向における戻り移動時におけるエジェクト装置を、１つの見方および位置で示す図である。
【００２７】
図１ａには、家具１００の側部に配置された引込み空間３３を備えた家具１００が示されており、引込み空間３３内には折り畳みドア３を、扉３ａ，３ｂの折り畳まれた状態で挿入することができる。図１ａには、折り畳みドア３の閉鎖位置が示されている。折り畳みドア３は、図１ａに示されているように、折り畳みスライドドアとして形成されていてもよい。そのために折り畳みドア３は、その上縁および／または下縁において、図１ａにおいては見えない長手方向ガイドによって案内されている。扉３ａ，３ｂの間のドア間隙におけるエジェクト装置１のそばには、ヒンジ５０も間隙にドア配置されており、これによって開放位置と閉鎖位置との間における扉３ａ，３ｂの旋回を可能にすることができる。引込み空間３３は、家具本体４０によって形成されているか、または家具本体４０に配置されている。家具本体４０の見えない部分は、エジェクト装置１に平行に延びていて、これによって必要な場合にエジェクト装置１への接触部を形成することができる。家具本体４０のこの構成部分は、例えば棚底部、カバープレート、または家具本体４０のその他の部材であってよい。
【００２８】
図１ｂには、図１ａに示されたエジェクト装置１が詳細に示されている。エジェクト装置１に可動に配置されているリリース装置１７は、必要な場合に、家具本体４０の構成部分と接触する。簡単化のために、家具本体４０は図１ｂにおいては示されていない。リリース装置１７は、接触部分として形成されていて、この接触部分は、図１ｂに示された同一平面位置から家具本体４０の構成部分に向かっての扉３ａ，３ｂの過剰押圧時に、家具本体４０と接触し、かつその後でリリースする。これによってエジェクト装置は作動させられ、扉３ａ，３ｂ相互の相対運動を開始させる。このときエジェクト装置１は、第１の取付け具１ａと第２の取付け具１ｂとを有している。シヤー機構１０は、第１の取付け具１ａと第２の取付け具１ｂとを結合している。リリース装置１７によるリリース時に、シヤー機構１０は、少なくとも１つの蓄力器１４によって移動させられ、これによって扉３ａ，３ｂは開放する。
【００２９】
図２には、第１の取付け具１ａと第２の取付け具１ｂとから成っているエジェクト装置１が分解図で示されている。個々の構成部分の多くは、第１の取付け具１ａに位置している。第１の取付け具１ａは、ベースエレメント５２を含んでいて、このベースエレメント５２は、固定部分を介して第１の扉３ａに結合させられる。第１の取付け具１ａは、例えばねじまたはこれに類した固定手段を介して、第１の扉３ａに結合することができる。簡単化のために、このことは図２には示されていない。
【００３０】
ベースエレメント５２には、第１のシヤーレバー１０ａに位置しているガイドエレメント１２ｂを収容するための少なくとも１つのガイド装置１２が位置しており、ガイドエレメント１２ｂは、第１のシヤーレバー１０ａの第１の端部Ｅ１に配置されている。この第１のシヤーレバー１０ａの第２の端部Ｅ２は、第２の取付け具１ｂに結合されている。ガイドエレメント１２ｂは、ピン１２ａを介して第１のシヤーレバー１０ａに回転可能に結合されていて、かつベースエレメント５２におけるガイド装置１２に沿って長手方向に走行可能である。
【００３１】
少なくとも１つの中間レバー１１を介して第１のシヤーレバー１０ａは、第２のシヤーレバー１０ｂに結合されている。第２のシヤーレバーは接触部分１５を有しており、この接触部分１５は、ベースエレメント５２における制御カム１３に接触することができる。これによって、転動体として形成された接触部分１５は、少なくとも時々、制御カム１３に支持される。第２のシヤーレバー１０ｂの反対側に位置している端部には、支持体５３ａが位置しており、この支持体５３ａは、ピン５３ｂを介して、第２のシヤーレバー１０ｂにおける少なくとも１つの蓄力器１４に支持されている。蓄力器１４は、シフト装置５４を介してキャリッジ５５に作用する。キャリッジ５５は、追加的に接触部分１５を収容するために働く。接触部分１５が制御カム１３によって移動させられると、この移動はキャリッジ５５によって蓄力器１４に伝達され、かつ逆の形式で伝達される。キャリッジ５５をロックするために、ロック装置１６が設けられている。このロック装置１６は、ピン５３ｂを介して回動可能に第２のシヤーレバー１０ｂに支持されている。ロック装置１６の解除またはリリースは、同様に可動に第２のシヤーレバー１０ｂに支持されているリリース装置１７を介して行われる。このとき凸部５５ａを介して、ロック装置１６における対応する凹部５５ｂが結合される。
【００３２】
制御装置６１に作用結合している押込み防止装置６０は、エジェクト装置１の早期のリリースが行われることを阻止する。例えば閉鎖位置から開放位置への開放過程が、使用者によって中断され、かつ折り畳みドア３が同一平面位置に押し戻されると、折り畳みドア３の新たなエジェクトが行われるおそれがある。このことは、押込み防止装置６０および制御装置６１によって阻止される。このとき押込み防止装置は、キャリッジ５５に結合されていて、かつキャリッジ５５を、ドアの適正な開放が行われるであろうことが予測されるや否や、そのような場合にのみ解放する。
【００３３】
図３ａには、折り畳みドア３の閉鎖位置が示されており、このとき扉３ａ，３ｂは、互いに同一平面位置に位置している。ロック装置１６の後ろに位置している蓄力器１４は、緊張させられている。リリース装置１７は、家具本体４０に対して相対的に間隔をおいて位置している。これによってロック装置１６もまたロックされた状態にある。蓄力器１４は、弛緩（ディスチャージ）することができない。これによって第２のシヤーレバー１０ｂの接触部分１５もまた制御カム１３の開始部に位置している。制御カム１３に対して相対的な接触部分１５の位置は、ロックされた蓄力器１４に基づいて、開放部分ＯＡの開始部に留まっている。開放部分ＯＡは、制御カム１３の距離の少なくとも半分にわたって延びていて、かつ緊張部分ＳＡに移行している。
【００３４】
図３ｂには、リリース装置１７が下から見た図で示されており、このリリース装置１７は、凸部５５ａを介して対応する凹部５５ｂと係合している。凹部５５ｂは、ロック装置１６に位置している。ロック装置１６は、蓄力器１４を緊張させられた位置において保持している。
【００３５】
図４には、リリース装置１７のリリースが示されている。使用者によってもたらされた力ＦＢは、図４に図示されていない扉３ａ，３ｂに作用する。同一平面位置からの過剰押圧によってリリース装置１７は、家具本体４０の構成部分に押圧される。使用者の力ＦＢによって、リリース装置１７において反力ＦＧが生ぜしめられる。これによってリリース装置の凸部５５ａは、ロック装置１６の凹部５５ｂから引き出される。ロック装置１６はいまやロック解除された状態にある。この動作は、図４に示されているように、家具本体４０の構成部分によって発生させることができる。
【００３６】
しかしながらまた例えば、リリース装置１７と例えば第２の扉３ｂまたは第２の取付け具１ｂとの間における直接または間接的な結合装置によっても、前記動作を発生させることができる。この結合装置は、例えば緊張させられたボーデンケーブルまたは類似の装置であってよく、この装置は、同一平面位置からの扉の過剰押圧時に、リリース装置１７のリリースを生ぜしめる。このようになっていると、エジェクト装置１のリリースを保証するために、家具本体４０への直接的な接触をつねに行う必要はなくなる。リリース装置１７と、エジェクト装置１の、リリース装置１７に対して相対的に可動の領域との結合部を介して、同様にリリースの可能性が得られる。
【００３７】
図５には、ロック解除されたロック装置１６が示されている。蓄力器１４は、いまや接触部分１５に作用しており、このとき接触部分１５は、制御カム１３の開放部分ＯＡに沿って走行し、かつシヤー機構１０をまた中間レバー１１への結合によっても移動させる。このとき第２のシヤーレバー１０ｂは、第２のシヤーレバー１０ｂにおける枢着点Ｇ１に当接している中間レバー１１を介して、第１のシヤーレバー１０ａを移動させる。第１のシヤーレバー１０ａは、ガイドエレメント１２ｂを介して、第１の取付け具１ａにおけるガイド装置１２に結合されている。これによって蓄力器１４、枢着点Ｇ１、中間レバー１１、および第１のシヤーレバー１０ａを介して、エジェクト装置１は同一平面位置から開放位置の方向に移動させられる。この移動は、回転軸５１を中心にして行われる。
【００３８】
図６には、エジェクト装置１の閉鎖位置と開放位置との間における別の位置が示されている。蓄力器１４は、さらに弛緩されており、第２のシヤーレバー１０ｂは、第１の枢着点Ｇ１、第２の枢着点Ｇ２、および両枢着点Ｇ１，Ｇ２の間に配置された中間レバー１１を介して、第１のシヤーレバー１０ａをガイド装置１２に沿って移動させる。このとき接触部分１５は、制御カム１３に沿って移動する。これによってシヤー機構１０は、ベース体６に支持される。
【００３９】
図７には、エジェクト装置１の約９０°の開放角が示されている。簡単化のために、第１および第２の扉３ａ，３ｂは示されていないが、両扉３ａ，３ｂ相互の間における角度もまた同様に、約９０°に相当している。蓄力器１４は、接触部分１５が、制御カム１３の開放部分ＯＡの端部に到着するまで、さらに弛緩される。接触部分１５が開放部分ＯＡの端部に、ひいては緊張部分ＳＡの移行部に位置している場合に、蓄力器１４は完全にディスチャージされている。
【００４０】
その後でシヤー機構１０は、蓄力器１４の力に基づいて、もはや自動的にさらには移動しない。この位置からエジェクト装置１の完全な開放位置へのさらなる移動は、例えば家具駆動装置によって、またはいまや使用者の手によって行うことができる。
【００４１】
図８には、蓄力器１４を緊張（チャージ）させるために、第２の取付け具１ｂがさらに旋回させられた場合に、シヤー機構１０がどのように動くのかが示されている。蓄力器１４の緊張は、いまや緊張部分ＳＡに位置している接触部分１５を介して行われる。家具駆動装置または使用者の手による操作によって、第１の取付け具１ａと第２の取付け具１ｂとの間の角度は、さらに減じられる。接触部分１５は制御カム１３において緊張部分ＳＡに沿って強制的に案内されて移動させられ、これによって蓄力器１４は緊張させられる。それに並行して、シヤー機構１０はさらに走行することができ、これによって、図８には簡単化のために示されていない扉３ａ，３ｂを、その開放位置（平行位置）にもたらすことができる。このとき蓄力器１４の緊張は、接触部分１５に結合しているキャリッジ５５を介して行われる。キャリッジ５５は、制御カム１３との接触部分の接触に基づいて、いまや蓄力器１４の力に抗して走行する。さらに、ロック装置１６のロック部分１６ａが対応するロック部分１６ｂに近づく様子が分かる。この場合ロック部分１６ａと対応するロック部分１６ｂとは、例えば切欠きとピンとによる形状結合式の結合部によって形成されている。
【００４２】
図９には、図９にはおいては見えない折り畳みドア３がさらに開放位置の方向にもたらされる様子が示されている。接触部分１５は、緊張部分における制御カム１３の最も強く顕著になった領域の直前に位置している。これによって蓄力器１４は、その最も強く緊張させられた位置の直前にある。ロック装置１６は、ロック点の直前に位置している。シヤー機構１０はさらに折り畳まれ、図面においては見えない扉３ａ，３ｂの間におけるその位置にある。ロック装置１６の旋回領域における小さなばね５９が、ロック装置１６をまずロック位置に押圧し、これによって、ロック部分１６ａ，１６ｂが互いに上下にまたは内外に形状結合式に位置するや否や、確実な係止を保証することができる。
【００４３】
図１０には、開放位置の直前におけるエジェクト装置１が示されており、この開放位置は、図１０においては見えない折り畳みドア３の平行位置にほぼ相当している。接触部分１５は、制御カム１３の緊張部分ＳＡの端部の直前に到着している。蓄力器１４は、ほぼ完全に緊張させられている。ロック装置１６がリリース装置１７によって蓄力器１４の長手方向軸線に沿ってさらに移動させられることによって、扉３ａ，３ｂの平行位置におけるリリースも行うことができない。これによって扉３ａ，３ｂの平行位置においては、ロック装置１６とリリース装置１７の接触も行われていない。それというのは、開放位置における蓄力器１４のロック解除が望まれていないからである。
【００４４】
図１１には、折り畳みドア３の平行位置が示されている。この平行位置は、第１の扉３ａが第２の扉３ｂに対して相対的にほぼ平行位置にある、折り畳みドア３の開放位置に相当している。エジェクト装置１は、いまや折り畳まれた状態において扉３ａ，３ｂの間に位置している。このとき蓄力器１４は、完全に緊張させられている。ロック装置１６は、対応するロック部分１６ａ，１６ｂに基づいてロックされている。
【００４５】
ロック装置１６に対してリリース装置１７が取り外されていることに基づいて、折り畳みドア３の開放位置でのリリースは不可能である。接触部分１５は、制御カム１３における終端位置にある。この開放位置において折り畳みドアは、図１に示された引込み空間３３内に押し込まれる。引込み空間３３内へのこの押込みは、駆動装置によって行うこと、または使用者の力によって行うこともできる。引込み空間３３からの走出もまた駆動装置によって行うことができる。これによって、開放位置にもたらされた折り畳みドア３は、引込み空間３３から押し出され、かつ次いで追加的な駆動装置によって、または使用者の手によっても、新たに閉鎖位置にもたらすことができる。
【００４６】
エジェクト装置１は、開放位置から閉鎖位置への移動時に、機能することなく、いわば空転していて、緊張させられた状態において開放位置から閉鎖位置に移動し、これによって新たなリリースを保証することができる。エジェクト装置１の完全に折り畳まれた状態において、ガイドエレメント１２ｂは、ガイド装置１２の端部に位置している。
【００４７】
図１２には、開放位置から閉鎖位置への戻り旋回時におけるエジェクト装置１が示されている。このとき第１のシヤーレバー１０ａのガイドエレメント１２ｂは、ガイド装置１２に沿って移動させられる。このときシヤー機構１０は、折り畳まれた状態に留まっている。それというのは、シヤー機構１０は、ロック装置１６によって係止されているからである。ロック装置１６は、ロック部分１６ａ，１６ｂを介してロックされたままである。蓄力器１４は、緊張されたままである。接触部分１５は、制御カム１３から離反する方向に移動する。接触部分１５と制御カム１３との間には接触部は存在しない。
【００４８】
図１３には、扉３ａ，３ｂの同一平面位置（閉鎖位置）の直前におけるエジェクト装置１が示されている。このときシヤー機構１０は、いまなお折り畳まれた状態に留まっている。図面から分かるように、リリース装置１７はロック装置１６の近くに移動しており、これによって、同一平面位置において新たなリリースを保証することができる。このとき接触部分１５は、制御カム１３に対して間隔をおいて移動し、かつ制御カム１３とは係合しない。
【００４９】
図１４には、折り畳みドア３の同一平面位置におけるエジェクト装置１が示されている。図面から顕著なように、リリース装置１７はまだロック装置１６と係合していない。したがって新たなリリースは、なお不可能である。このことは、ドアが閉鎖運動および同一平面位置の超過によって直ちに再び開放されることを阻止するようになっている押込み防止装置に基づいて行われる。これによってロック装置１６へのリリース装置１７の係合が、時間的に遅延させられるようになっている。このことは、リリース装置１７の時間的に遅延させられた動作を生ぜしめる制御装置６１を介して行われる。制御装置６１は、例えば緩衝器、回転式緩衝器、またはこれに類したものの形態で形成されていてよい。このような緩衝器は、扉３の閉鎖過程よりも長くリリース装置１７に対して作用するために必要である。
【００５０】
図１５には、押込み防止装置が制御装置６１に基づいて機能しないように解消されている様子が示されている。リリース装置１７は、相応にロック装置１６と係合されており、これによってエジェクト装置の新たなリリースを保証することができる。新たなリリースは、図４に示されているように、押込みが扉３ａ，３ｂの同一平面位置を超えて行われるや否や、始まる。
【図１ａ】
0006918143.tif 000002
【図１ｂ】
0006918143.tif 000003
【図２】
0006918143.tif 000004
【図３ａ】
0006918143.tif 000005
【図３ｂ】
0006918143.tif 000006
【図４】
0006918143.tif 000007
【図５】
0006918143.tif 000008
【図６】
0006918143.tif 000009
【図７】
0006918143.tif 000010
【図８】
0006918143.tif 000011
【図９】
0006918143.tif 000012
【図１０】
0006918143.tif 000013
【図１１】
0006918143.tif 000014
【図１２】
0006918143.tif 000015
【図１３】
0006918143.tif 000016
【図１４】
0006918143.tif 000017
【図１５】
0006918143.tif 000018